(57)【特許請求の範囲】
【請求項１】
４方を囲繞する壁面と、各壁面の端縁から突出するフラップとを備え、対向する一対の内フラップを折り曲げた後、これら内フラップと隣接する一対の外フラップを折り曲げて蓋をする段ボール箱において、
前記内フラップの少なくとも一方に、基端が該内フラップと連続する基部と、該基部から両側に突出するとともにその両側が前記基部の基端側に向けて更に突出する構成とした突部とからなる略Ｔ形状の係止片を設け、
前記外フラップに、一部を連続させた切り起こし構造からなり、その連続部との間に前記係止片の基部を位置させる突出部を有し、前記係止片を没入させて係止する係止溝を設け、
前記外フラップをそれぞれ折り曲げた後、前記係止片を設けた内フラップを折り曲げ、前記係止溝に係止片を係止することにより封緘可能としたことを特徴とする段ボール箱。
【請求項２】
前記係止溝における連続部分に、中しんを横切るように延びる折曲線を設けたことを特徴とする請求項１に記載の段ボール箱。
【発明の詳細な説明】
【０００１】
【発明の属する技術分野】
本発明は、種々の商品を詰め合わせて出荷するための段ボール箱に関するものである。
【０００２】
【従来の技術】
従来より、種々の分野での製造メーカは、その分野における各種の商品を製造し、各商品毎に１つの段ボール箱に収容し、または、複数種の商品を１つの段ボール箱に詰め合わせて収容して、所定の販売店に出荷している。
【０００３】
そのうち、複数種の商品を詰め合わせて出荷する場合、その工場では、各種の商品を、それぞれ特定の場所にコンベアなどによって搬送している。そして、これらの搬送場所を通過するように別の箱搬送用コンベアを配置し、この箱搬送用コンベアによって段ボール箱を搬送し、各場所で特定の商品を収容するようにしている。
【０００４】
なお、前記したいずれの出荷形態でも、使用される段ボール箱は、４方を囲繞する壁面と、各壁面の端縁から突設したフラップとを備えた周知の構成のものを使用している。
【０００５】
【発明が解決しようとする課題】
しかしながら、商品を詰め合わせる工場では、前述のように多数のコンベアを配置した複雑な環境であるため、前記箱搬送用コンベアの上部には作業員が通るためブリッジが横切るように配置されている。また、段ボール箱は、段ボール紙自体が有する弾性力により、蓋をしていない開放状態のフラップが上向きに延びた状態で搬送される。しかも、前記詰め合わせ用の段ボール箱は大型である。そのため、箱搬送用コンベアによって搬送する段ボール箱のフラップが前記ブリッジに干渉し、搬送の妨げになるという問題がある。
【０００６】
この問題は工場のブリッジを高くすれば解決できるが、この場合、高い設備修正費用が必要になるうえ、作業員の危険性が上がる。そのため、従来では、ブリッジの下側を通過する際に、段ボール箱のフラップを粘着テープにより一時的に仮止めして蓋をする方法を採用しているが、この場合、その仮止め作業が面倒であるうえ、段ボール箱の表紙が粘着テープを剥がす際に一緒に剥がれ、出荷時の外観を損なうという可能性がある。
【０００７】
なお、従来の段ボール箱の中には、例えば実公平１−１８５０１号公報のように、粘着テープを使用することなく蓋をすることを可能としたものがある。具体的には、この段ボール箱は、一対の外フラップを突き合わせた部分に、該突合部を中心とするＭ字状の切込部を設けるとともに、内フラップの中央部に該内フラップを折り曲げる折曲線を設け、かつ、該内フラップの先端部に前記切込部に差し込んでロックするためのロック片を設けた構成としている。
【０００８】
しかし、このような段ボール箱は、粘着テープを使用することなく、フラップによって蓋をした状態を維持する必要があるため、容易には開封できない構成である。そのため、この実公平１−１８５０１号公報の構成を採用した場合、簡単に開封できないため、流れ作業で商品を収容する作業性を損なうという不都合がある。また、段ボール箱の構成が複雑になるため、フレキソグルアなどの汎用加工機で製造することは困難であり、設備費用が高いダイカッターで製造する必要性が生じる
【０００９】
そこで、本発明では、フラップによって蓋をした状態で簡単かつ確実に仮止めできるとともに、その仮止め状態を簡単に解除でき、かつ、出荷時の外観を損なうことがなく、荷抜きの恐れもない安価な段ボール箱を提供するものである。
【００１０】
【課題を解決するための手段】
前記課題を解決するため、本発明の段ボール箱は、４方を囲繞する壁面と、各壁面の端縁から突出するフラップとを備え、対向する一対の内フラップを折り曲げた後、これら内フラップと隣接する一対の外フラップを折り曲げて蓋をする段ボール箱において、前記内フラップの少なくとも一方に、基端が該内フラップと連続する基部と、該基部から両側に突出するとともにその両側が前記基部の基端側に向けて更に突出する構成とした突部とからなる略Ｔ形状の係止片を設け、前記外フラップに、一部を連続させた切り起こし構造からなり、その連続部との間に前記係止片の基部を位置させる突出部を有し、前記係止片を没入させて係止する係止溝を設け、前記外フラップをそれぞれ折り曲げた後、前記係止片を設けた内フラップを折り曲げ、前記係止溝に係止片を係止することにより封緘可能に構成している。
【００１１】
この段ボール箱では、係止片を係止溝に係止することにより、フラップによって簡易的に封緘できるため、箱搬送用コンベア上にブリッジが横切るように設置されていても、そのブリッジに干渉し、搬送の妨げになることを防止できる。そのため、工場のブリッジを高くして問題を解消することに伴う不都合が生じることはない。また、粘着テープにより仮止めすることにより、表紙に剥がれ部分などの不都合が生じ、出荷時の外観を損なうこともない。
【００１２】
また、前記係止溝における連続部分に、中しんを横切るように延びる折曲線を設けることが好ましい。このようにすれば、係止溝内の残留片との連続部分の強度が弱くなり、該残留片が外フラップから脱落することを防止できる。
【００１３】
【発明の実施の形態】
以下、本発明の実施の形態を図面に従って説明する。
図１は、本発明の第１実施形態に係る段ボール箱１を示す。この段ボール箱１は、４方を囲繞する壁面２ａ〜２ｄと、これら壁面２ａ〜２ｄの上下両端縁から突出する第１フラップ４ａ〜４ｄおよび第２フラップ５ａ〜５ｄとを備え、そのうち、一方の第１フラップ４ａ〜４ｄの側に、これらフラップ４ａ〜４ｄで封緘した状態に仮止めする構造を設けたものである。
【００１４】
具体的には、前記段ボール箱１は、表紙１００ａおよび裏紙１００ｂの間に波状の中しん１００ｃを配設した段ボール紙１００を図２に示す展開状態に切断し、所定位置を糊付けすることにより形成される。
【００１５】
展開状態の段ボール箱１は、図２に示すように、４つの壁面２ａ〜２ｄが直線上に連続するように設けられている。この壁面２ａ〜２ｄのうち、一端の壁面２ａの端縁には糊代部３が設けられている。また、各壁面２ａ〜２ｄの上下両端縁には、第１フラップ４ａ〜４ｄおよび第２フラップ５ａ〜５ｄがそれぞれ設けられている。なお、この段ボール箱１は、従来と同様に、段ボール紙１００の中しん１００ｃが第１フラップ４ａ〜４ｄから第２フラップ５ａ〜５ｄにかけて延びるように設定されている。
【００１６】
前記各壁面２ａ〜２ｄと第１フラップ４ａ〜４ｄおよび第２フラップ５ａ〜５ｄとの境界線の部分には、肉厚を圧縮して形成した折曲線６が設けられている。また、壁面２ａと糊代部３との境界線の部分および各壁面２ａ〜２ｄの境界線の部分には、折曲線６と同様の折曲線７が設けられている。
【００１７】
前記第１フラップ４ａ〜４ｄおよび第２フラップ５ａ〜５ｄのうち、短尺な壁面２ｂ，２ｄに連続するフラップ４ｂ，４ｄ，５ｂ，５ｄは、内フラップを構成する。また、長尺な壁面２ａ，２ｃに連続するフラップ４ａ，４ｃ，５ａ，５ｃは、外フラップを構成する。
【００１８】
そして、本実施形態では、内フラップを構成する１つの第１フラップ４ｂには、その先端中央に略Ｔ字形状の係止片８が設けられている。また、外フラップを構成する２つの第１フラップ４ａ，４ｃには、前記係止片８を没入させて係止する係止溝１４が設けられている。
【００１９】
前記係止片８は、図３（Ａ）に示すように、基端が連続する基部８ａと、該基部８ａの先端から両側に突出する突部８ｂとからなる。言い換えれば、この突部８ｂは、壁面２ｂとフラップ４ｂとの境界線と平行な方向に突出するように設けられている。具体的には、この係止片８は、第１フラップ４ｂの先端より壁面２ｂに向けて下側に延びる一対の第１切断部９と、該第１切断部９の下端から内側上方に延びる第２切断部１０と、該第２切断部１０の内端から壁面２ｂに向けて屈曲して下側に延びる第３切断部１１と、該第３切断部１１の下端から外側に円弧状に湾曲して延びる第４切断部１２とからなる。一対の第４切断部１２の間の連続部分には、前記と同様の折曲線１３が設けられている。
【００２０】
前記第１切断部９と第２切断部１０により前記突部８ｂが形成される。この突部８ｂは第２切断部１０の傾斜により両側下端が下方に突出する構成とされ、係止力が向上されている。一対の第３切断部１１により基部８ａの基端側が形成される。この基部８ａの間隔Ｄは、図示しない粘着テープの幅（約５ｃｍ）より狭くなるように設定されている。前記第４切断部１２は、その湾曲により、該係止片８の基端に破断が生じることを抑制する役割をなす。
【００２１】
前記係止溝１４は、図３（Ｂ）に示すように、前記係止片８と上下方向に対応する位置に、一部を連続させた切り起こし構造により設けられ、前記係止片８の側には突出部１４ａを形成したものである。具体的には、この係止溝１４は、第１フラップ４ａ，４ｃの先端縁において、略第１フラップ４ｂの先端と対応する位置に縁から壁面２ａ，２ｃに向けて下側に延びる第１切断部１５と、該第１切断部１５の下端から隣接する第１フラップ４ｂに向けて延びる第２切断部１６と、該第２切断部１６と所定間隔をもって直線上に延びる第３切断部１７と、該第３切断部１７の内端から第１フラップ４ａ，４ｃの先端に向けて傾斜する第４切断部１８と、該第４切断部１８の先端から下側に傾斜して延びる第５切断部１９と、該第５切断部１９の下端から第１フラップ４ｂに向けて延びる第６切断部２０と、該第６切断部２０の内端から第１フラップ４ａ，４ｃの先端に向けて傾斜して延びる前記と同様の折曲線２１とからなる。
【００２２】
前記第１切断部１５は、係止片８の基部８ａの間隔Ｄの略半分の長さとされ、一対の第１フラップ４ａ，４ｃを突き合わせた状態で粘着テープの幅の半分より狭い寸法となるように構成されている。前記第２切断部１６と第３切断部１７との間には、所定間隔の連続部２２が形成され、この連続部２２により、打抜時に係止溝１４内に位置する小さな残留片２３が一緒に打ち抜かれ、連続的に段ボール箱１を打ち抜く量産の妨げにならないように構成している。前記第４切断部１８と第５切断部１９により前記突出部１４ａが構成される。この突出部１４ａは、折曲線２１との間に係止片８の基部８ａを位置させることにより、該係止片８の係止状態の維持力を向上する役割をなす。前記折曲線２１は、その傾斜により段ボール紙１００の中しん１００ｃを横切るように延びるように構成されている。即ち、中しん１００ｃと平行に延びるように構成することにより、係止溝１４内の残留片２３との連続部分の強度が弱くなり、該残留片２３が脱落することを防止している。
【００２３】
前記構成の段ボール箱１は、種々の大きさの段ボール箱を寸法入力するだけで、前記係止片８および係止溝１４を除く構成を自動形成可能な汎用加工機であるＬ型のフレキソグルアによって製造される。
【００２４】
具体的には、前記加工機は、図４に示すように、第１搬送方向Ｘに沿って搬送しながら所定の加工を施す第１加工ライン５０と、第２搬送方向Ｙに沿って搬送しながら所定の加工を施す第２加工ライン５４とを備えたＬ型のものである。前記第１加工ライン５０は、スリッタスコアラ５１と、切断装置５２と、スタッカー５３とからなる。前記第２加工ライン５４は、印刷装置５５と、スコアラ５６と、溝切り装置５７と、打抜装置５８と、貼着装置５９とからなる。
【００２５】
そのうち、前記打抜装置５８は、係止片８と係止溝１４とを形成するもので、所定形状となるように切断刃および押し罫を配設した小型の抜き型と、該抜き型を受ける受け型とを、一対の回転軸に着脱可能に装着している。なお、本実施形態では、前記係止片８を形成するための切断刃および押し罫により囲まれた内部に、打ち抜いた係止片８が一緒に分離されるのを防止するために押し返し用のスポンジを配設している。なお、このスポンジの配設により、係止片８は、その肉厚が若干圧縮された状態で形成される。
【００２６】
即ち、前記加工機は、係止片８および係止溝１４を設けない段ボール箱は寸法入力するだけで形成可能である。そして、本実施形態のように、段ボール箱１の所定位置に、係止片８および係止溝１４のような部分的な構成を付加する場合には、専用の部分型のみを前記打抜装置５８に装着するだけでよい。
【００２７】
次に、前記加工機による段ボール箱１の製造について具体的に説明する。
まず、第１加工ライン５０に連続した広幅のロール状の段ボール紙１００を、その中しん１００ｃが第１搬送方向Ｘと直交方向に延びるように供給する。
【００２８】
そして、スリッタスコアラ５１によって、第１フラップ４ａ〜４ｄから第２フラップ５ａ〜５ｄまでの間隔で段ボール紙１００を連続的に切断するとともに、その間の所定位置に中しん１００ｃの延び方向に直交する一対の折曲線６を連続的に設ける。これによりロール状の段ボール紙１００は、段ボール箱１を形成する幅の複数の帯状シート１０１に分割される。
【００２９】
ついで、切断装置５２により、第１搬送方向Ｘに沿った両側である壁面２ｄと糊代部３の縁の位置で切断する。これにより、前記帯状シート１０１は、段ボール箱１を形成するための個々の矩形状シート１０２に分割される。
【００３０】
ついで、スタッカー５３により、複数列で並んで搬送される矩形状シート１０２を１列に纏めて積み上げる。
【００３１】
次に、第２加工ライン５４において、分割した矩形状シート１０２を中しん１００ｃの延び方向に沿った第２搬送方向Ｙに搬送する。
【００３２】
そして、この第２加工ライン５４では、まず、印刷装置５５により各矩形状シート１０２に図示しない所定の印刷を施す。
【００３３】
ついで、スコアラ５６によって中しん１００ｃの延び方向と平行な折曲線７を設ける。これにより、矩形状シート１０２は、前述のように、各壁面２ａ〜２ｄ、糊代部３、第１フラップ４ａ〜４ｄおよび第２フラップ５ａ〜５ｄに区画される。
【００３４】
ついで、溝切り装置５７により、隣接する第１フラップ４ａ〜４ｄの間、第２フラップ５ａ〜５ｄの間、および、糊代部３の上下両側の不要部分を切断して除去する。
【００３５】
ついで、打抜装置５８により、係止片８および係止溝１４を形成する。
【００３６】
ついで、貼着装置５９により、糊代部３の表紙１００ａに酢酸ビニルエマルジョン系の接着剤などを塗布した後、壁面２ｂ，２ｃを位置決めしてその間の折曲線７に沿って壁面２ａおよび糊代部３を壁面２ｂ，２ｃ上に重畳するように折り曲げる。その後、壁面２ｄと壁面２ｃの間の折曲線７に沿って壁面２ｄを折り曲げ、壁面２ｄの縁を糊代部３上に位置させ、その重畳部分をプレスして糊付けする。
【００３７】
このように、本発明の段ボール箱１は、高価なダイカッター方式ではなく、汎用加工機により製造するため、新たに必要な製造部品は、打抜装置５８に用いる小型の抜き型のみであり、生産コストの削減を図ることができる。しかも、この汎用加工機では、隣接して形成する段ボール箱１の間にトリム代を設ける必要はないため、段ボール紙１００のロスを大幅に削減することができる。
【００３８】
次に、製造した段ボール箱１を使用し、商品の製造メーカにおいて流れ作業で複数種の商品を収容する作業について説明する。
【００３９】
まず、前記段ボール箱１は、底側の内フラップを構成する第２フラップ５ｂ，５ｄを折曲線６に沿って内側に折り曲げた後、外フラップを構成する第２フラップ５ａ，５ｃを折曲線６に沿って折り曲げる。そして、これら第２フラップ５ａ，５ｃの先端縁を突き合わせ、その部分を粘着テープにより貼着し、底面を閉塞する。
【００４０】
この状態で段ボール箱１は、箱搬送用コンベアに配置され、該箱搬送用コンベアで所定の収容場所に搬送されて、各収容場所で特定の商品が収容される。
【００４１】
そして、次の商品を収容する場所までの間にブリッジが設けられている場合、そのブリッジ手前の収容場所では、商品を収容し終えると、図１に示すように、まず、係止片８を設けていない第１フラップ４ｄを折曲線６に沿って折り曲げる。その後、外フラップを構成する第１フラップ４ａ，４ｃを折曲線６に沿って折り曲げ、最後に、内フラップを構成する第１フラップ４ｂを折曲線６に沿って折り曲げる。
【００４２】
これにより、段ボール箱１は、図５（Ａ），（Ｂ）に示すように、第１フラップ４ａ，４ｃに形成した係止溝１４と、第１フラップ４ｂに形成した係止片８とが、上下方向に一致する。この状態で、外側に位置する第１フラップ４ｂの係止片８の基部８ａを下向きに押圧し、各第１フラップ４ａ〜４ｄにより簡易的に封緘した仮止め状態とする。
【００４３】
具体的には、作業者が係止片８を押圧すると、図６（Ａ）に示すように、上下方向に対応する係止溝１４内の残留片２３が押圧され、この残留片２３と第１フラップ４ａ，４ｃとの連続部２２が破断される。その結果、図示のように、残留片２３が係止片８とともに段ボール箱１内に没入される。
【００４４】
そして、前記押圧により係止片８は、図６（Ｂ），（Ｃ）に示すように、係止溝１４を構成する切断部１６，１７，１８の縁に沿って基部８ａおよび突部８ｂを撓ませながら折曲線１３を中心として内部に没入される。そして、係止片８は、基部８ａの基端近傍が係止溝１４の突出部１４ａを乗り越えると、図６（Ｄ）に示すように、その突部８ｂの両側縁も係止溝１４の縁を乗り越え、完全に段ボール箱１内に没入した係止状態となる。
【００４５】
この係止状態では、係止片８は、その基端近傍が係止溝１４の突出部１４ａと折曲線２１との間に基部８ａが位置し、突部８ｂが弾性的に原状に復元する。そのため、係止片８は、係止溝１４を貫通して内部に没入し、第１フラップ４ａ，４ｃの内面に係止した第１フラップ４ｂの仮止めした状態を確実に維持する。
【００４６】
なお、前記係止片８の突部８ｂが撓む方向は、段ボール紙１００の中しん１００ｃの延び方向と平行である。また、係止片８の基端および係止溝１４の幅は、粘着テープの幅より狭いという小さな形状である。そのため、前記係止作業時には、比較的小さな押圧力で突部８ｂを撓ませて係止することができる。しかし、係止状態では、係止片８を設けた第１フラップ４ｂの弾性力だけでは、その係止を解除することはできない。
【００４７】
このように、本発明の段ボール箱１は、簡易的に封緘した仮止め状態とすることができるため、箱搬送用コンベア上にブリッジが横切るように設置されていても、そのブリッジに干渉し、搬送の妨げになることを防止できる。
【００４８】
次に、ブリッジを越えた次の商品の収容場所では、仮止め状態の蓋を開放し、再び内部に特定の商品を収容させる。
【００４９】
この際、最終の商品を収容させるまでに未だ箱搬送用コンベア上にブリッジが存在する場合には、作業者は、指を係止溝１４内に差し込み、係止片８の縁に引っ掛けて上向きに係止片８を引き上げる。これにより、係止片８の突部８ｂを前記とは逆向き撓ませ、該係止片８を係止溝１４から外部に引き出し、係止を解除する。
【００５０】
一方、最終商品を収容させるまでにブリッジが存在しない場合には、作業者は、係止片８を設けた第１フラップ４ｂを把持し、外向きに無理に引き上げる。これにより、前記と同様に、係止片８の突部８ｂを逆向きに撓ませて係止片８を係止溝１４から外部に引き出し、係止を解除する。なお、この場合、係止片８は無理抜きするため、その突部８ｂに破損が生じることがある。
【００５１】
なお、前記係止片８による仮止め解除は、前述と同様に、係止片８および係止溝１４が小さな形状であるうえ、係止片８が撓み易い構造であるため、容易に行える。
【００５２】
このようにして内フラップを構成する第１フラップ４ｂと外フラップを構成する第１フラップ４ａ，４ｃの係止を解除すると、仮止め状態を解除でき、全ての第１フラップ４ａ〜４ｄを広げて開放状態とすることができる。その結果、所定の商品を再び段ボール箱１内に収容させることができる。
【００５３】
全ての商品を収容すると、次に、第１フラップ４ａ〜４ｄのうち、内フラップを構成する第１フラップ４ｂ，４ｄを折り曲げた後、外フラップを構成する第１フラップ４ａ，４ｃを折り曲げる。
【００５４】
ついで、第１フラップ４ａ，４ｃを突き合わせた先端部分に粘着テープを貼着し、完全に蓋をした封緘状態とする。
【００５５】
この際、外フラップを構成する第１フラップ４ａ，４ｃには係止溝１４を設けているが、この係止溝１４の幅は粘着テープより狭いため、この係止溝１４を完全に覆うことができる。そのため、出荷時の段ボール箱１の外観を損なうことはない。しかも、粘着テープにより蓋をした状態を維持するため、販売店への搬送途中に内部の商品を取り出そうとした場合には、粘着テープを剥がす必要がある。そのため、荷抜きされている場合には、粘着テープを剥がすことによる損傷が表紙１００ａに生じるため、その荷抜き問題が生じているか否かを一目で判断することができる。
【００５６】
なお、本発明の段ボール箱１は、前記実施形態の構成に限定されるものではない。
【００５７】
例えば、第１実施形態では、係止片８を第１フラップ４ｂの先端に設けたが、先端縁から所定間隔をもって離れた位置に設けてもよい。即ち、係止片８を第１フラップ４ｂの中央部分に設けてもよい。
【００５８】
また、前記実施形態では、係止片８を第１フラップ４ｂの幅方向中央に設けたが、左右いずれかの側に偏るように設けてもよい。
【００５９】
また、前記実施形態では、係止片８を内フラップを構成する第１フラップ４ｂ，４ｄのうち、一方の第１フラップ４ｂにのみ設けたが、両方に設けてもよい。
【００６０】
【発明の効果】
以上の説明から明らかなように、本発明の段ボール箱では、係止片を係止溝に係止することにより、フラップによって簡易的に封緘した仮止め状態とすることができるため、箱搬送用コンベア上にブリッジが横切るように設置されていても、そのブリッジに干渉し、搬送の妨げになることを防止できる。そのため、工場のブリッジを高くして問題を解消することに伴う不都合が生じることはない。また、粘着テープにより仮止めすることにより、表紙に剥がれ部分などが生じ、出荷時の外観を損なうこともない。
【図面の簡単な説明】
【図１】本発明の第１実施形態に係る段ボール箱を示す斜視図である。
【図２】第１実施形態の段ボール箱の展開状態を示す平面図である。
【図３】（Ａ），（Ｂ）は図２の要部拡大平面部である。
【図４】本発明の段ボール箱を形成する加工ラインを示す平面図である。
【図５】外フラップ上に係止片を形成した内フラップを折り重ねた状態を示し、（Ａ）は平面図、（Ｂ）は断面図である。
【図６】（Ａ），（Ｂ），（Ｃ），（Ｄ）は係止片を係止溝に挿入係止する工程を示す断面図である。
【符号の説明】
１…段ボール箱、２ａ〜２ｄ…壁面、４ａ，４ｃ…第１フラップ（外フラップ）、４ｂ，４ｄ…第１フラップ（内フラップ）、５ａ〜５ｄ…第２フラップ、８…係止片、８ａ…基部、８ｂ…突部、１４…係止溝、１４ａ…突出部、２３…残留片。
【図１】
0003599710.tif 000002
【図２】
0003599710.tif 000003
【図３】
0003599710.tif 000004
【図４】
0003599710.tif 000005
【図５】
0003599710.tif 000006
【図６】
0003599710.tif 000007